(57)【要約】【課題】予め撮影したい対象が決められている際に、より確実に撮り忘れを防止することが可能な撮像装置及び撮り忘れ防止システムを提供することを目的とする。【解決手段】撮影状況取得部１０により取得される情報に基づいて、撮影スケジュール記憶部９に記憶される撮影スケジュールに従った撮影が行われていないと判断したとき、撮像装置１の電源モードに応じたアラートを行うことにより撮影者に撮り忘れがあることを知らせる。【選択図】図１
2012249146.tif 000002
【特許請求の範囲】
【請求項１】
撮影スケジュールが記憶される記憶手段と、
現在の撮影状況を示す情報を取得する撮影状況取得手段と、
複数種類のアラート機能を有するアラート手段と、
前記撮影状況取得手段により取得される情報に基づいて、前記記憶手段に記憶される撮影スケジュールに従った撮影が行われているか否かを判断する撮像判断手段と、
当該撮像装置の電源モードを、当該撮像装置の消費電力を抑えないモード及び当該撮像装置の消費電力を抑えるモードのどちらか一方のモードに切り替える電源モード切替制御手段と、
前記撮像判断手段により前記記憶手段に記憶される撮影スケジュールに従った撮影が行われていないと判断されたとき、当該撮像装置の電源モードに応じた前記アラート機能を使用して撮影者に撮り忘れがあることを知らせるアラート判断手段と、
を備えることを特徴とする撮像装置。
【請求項２】
請求項１に記載の撮像装置であって、
前記アラート機能は、振動することにより撮り忘れがあることを撮影者に知らせる
ことを特徴とする撮像装置。
【請求項３】
請求項１に記載の撮像装置であって、
前記アラート機能は、音を出力することにより撮り忘れがあることを撮影者に知らせる
ことを特徴とする撮像装置。
【請求項４】
請求項１に記載の撮像装置であって、
前記アラート機能は、メッセージを表示させることにより撮り忘れがあることを撮影者に知らせる
ことを特徴とする撮像装置。
【請求項５】
請求項１に記載の撮像装置であって、
前記撮影状況取得手段は、現在の位置情報及び現在の日時情報を取得し、
前記撮像判断手段は、前記現在の日時情報と前記撮影スケジュールに示される撮影予定日時とが近い又は一致するときで、かつ、前記現在の位置情報と前記撮影スケジュールに示される撮影予定位置情報とが近くない又は一致しないとき、前記撮影スケジュールに従った撮影が行われていないと判断する
ことを特徴とする撮像装置。
【請求項６】
請求項１に記載の撮像装置であって、
前記撮影状況取得手段は、当該撮像装置の動き情報を取得するとともに、現在の位置情報を取得し、
前記アラート判断手段は、前記動き情報により当該撮像装置が移動していると判断し、かつ、前記現在の位置情報により前記撮影スケジュールに示される撮影予定場所から離れつつあると判断すると、前記アラート手段から出力される音を徐々に大きくさせる
ことを特徴とする撮像装置。
【請求項７】
請求項１に記載の撮像装置であって、
前記撮影スケジュールは、サーバ又は他の撮像装置からネットワークを介して受信される
ことを特徴とする撮像装置。
【請求項８】
撮影者に所有される携帯端末と、サーバとの間でデータが送受信される撮り忘れ防止システムであって、
前記携帯端末は、
現在の撮影状況を示す撮影状況情報を取得する撮影状況取得手段と、
前記撮影状況情報を前記サーバに送信するとともに、前記サーバから送信されるアラート信号を受信する第１の通信手段と、
前記第１の通信手段により前記アラート信号を受信すると、アラートを行うことにより前記撮影者に撮影を促すアラート手段と、
を備え、
前記サーバは、
撮影スケジュールが記憶される記憶手段と、
前記携帯端末から送信される撮影状況情報を受信するとともに、前記携帯端末に前記アラート信号を送信する第２の通信手段と、
前記撮影状況情報に基づいて、前記記憶手段に記憶される撮影スケジュールに従った撮影が行われているか否かを判断する撮像判断手段と、
前記撮像判断手段により前記記憶手段に記憶される撮影スケジュールに従った撮影が行われていないと判断されたとき、前記第２の通信手段により前記アラート信号を前記携帯端末に送信させるアラート判断手段と、
を備える撮り忘れ防止システム。
【請求項９】
請求項８に記載の撮り忘れ防止システムであって、
定期的に電源がオンである旨の電源オン信号を前記サーバに送信する撮像装置を備え、
前記アラート判断手段は、前記電源オン信号を受信しなかったとき、前記撮像装置がオフであると判断し、前記撮像装置がオフであるときに適したアラートを行わせる旨の前記アラート信号を前記携帯端末に送信させる
ことを特徴とする撮り忘れ防止システム。
【発明の詳細な説明】
【技術分野】
【０００１】
本発明は、撮り忘れ防止機能を備える撮像装置及び撮り忘れ防止システムに関する。
【背景技術】
【０００２】
撮り忘れ防止機能を備える撮像装置として、例えば、現在位置を計測する機能を備え、予め登録された位置から離れたときにまだ撮影予定対象が撮影されていない場合、音により撮影者に対して撮り忘れを知らせるものがある（例えば、特許文献１参照）。
【先行技術文献】
【特許文献】
【０００３】
【特許文献１】特開２００４−２２１８６９号公報
【発明の概要】
【発明が解決しようとする課題】
【０００４】
しかしながら、上述のような撮像装置では、電源が入っていない場合、撮影者に対して撮り忘れを知らせることができないという問題がある。
【０００５】
また、上述のような撮像装置では、電源が入っていたとしても、撮影者の鞄やポケットなどに入っていると、撮り忘れを知らせるための音が撮影者に気付かれないおそれがある。
【０００６】
そこで、本発明では、撮影対象が予め決められている際に、より確実に撮り忘れを防止することが可能な撮像装置及び撮り忘れ防止システムを提供することを目的とする。
【課題を解決するための手段】
【０００７】
本発明の撮像装置は、記憶手段と、撮影状況取得手段と、複数種類のアラート機能を有するアラート手段と、撮像判断手段と、電源モード切替制御手段と、アラート判断手段とを備える。
【０００８】
前記記憶手段は、撮影スケジュールが記憶される。
【０００９】
前記撮影状況取得手段は、現在の撮影状況を示す情報を取得する。
【００１０】
前記撮像判断手段は、前記撮影状況取得手段により取得される情報に基づいて、前記記憶手段に記憶される撮影スケジュールに従った撮影が行われているか否かを判断する。
【００１１】
前記電源モード切替制御手段は、当該撮像装置の電源モードを、当該撮像装置の消費電力を抑えないモード及び当該撮像装置の消費電力を抑えるモードのどちらか一方のモードに切り替える。
【００１２】
前記アラート判断手段は、前記撮像判断手段により前記記憶手段に記憶される撮影スケジュールに従った撮影が行われていないと判断されたとき、当該撮像装置の電源モードに応じた前記アラート機能を使用して撮影者に撮り忘れがあることを知らせる。
【発明の効果】
【００１３】
本発明によれば、予め撮影したい対象が決められている際に、より確実に撮り忘れを防止することができる。
【図面の簡単な説明】
【００１４】
【図１】本発明の実施形態の撮像装置を示す図である。
【図２】撮像装置における制御部の動作を説明するためのフローチャートである。
【図３】撮影スケジュールの作成時に表示部に表示されるＧＵＩの一例を示す図である。
【図４】撮影スケジュール記憶部に記憶される撮影スケジュールの一例を示す図である。
【図５】本発明の実施形態の撮り忘れ防止システムを示す図である。
【図６】サーバにおける制御部の動作を説明するためのフローチャートである。
【図７】サーバにおける制御部の他の動作を説明するためのフローチャートである。
【発明を実施するための形態】
【００１５】
図１は、本発明の実施形態の撮像装置を示す図である。
【００１６】
図１に示す撮像装置１は、例えば、デジタルカメラ、カメラ付き携帯電話、又はスマートフォンなどの持ち運び可能な装置であって、撮像部２と、画像処理部３と、記憶部４と、表示部５（アラート手段）と、操作部６と、外部Ｉ／Ｆ部７と、電源部８と、撮影スケジュール記憶部９（記憶手段）と、撮影状況取得部１０（撮影状況取得手段）と、アラート部１１（アラート手段）と、制御部１２とを備える。
【００１７】
撮像部２は、デジタルカメラなどに通常備えられているものであって、鏡胴内のレンズによってＣＣＤ（Ｃｈａｒｇｅ  Ｃｏｕｐｌｅｄ  Ｄｅｖｉｃｅ）などの撮像素子に結像される被写体像をその撮像素子において電気信号に変換して出力する。
【００１８】
画像処理部３は、シャープネス補正回路、コントラスト補正回路、輝度・色差信号生成回路、及びホワイトバランス補正回路などを備え、撮像部２から出力される画像データに対して各種画像処理を行う。
【００１９】
記憶部４は、例えば、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などにより構成され、制御部１２で実行されるオペレーションシステムのプログラム及び各種アプリケーションソフトなどや画像処理後の画像データを記憶する。
【００２０】
表示部５は、例えば、液晶や有機ＥＬなどで構成されるタッチパネルディスプレイであって、画像処理後の画像データや撮影者による操作部６の操作をサポートするためのＧＵＩ（Ｇｒａｐｈｉｃａｌ  Ｕｓｅｒ  Ｉｎｔｅｒｆａｃｅ）などを表示する。
【００２１】
操作部６は、例えば、シャッターボタン、十字ボタン、決定ボタン、及びキャンセルボタンなどの各種ボタンにより構成され、撮影者により操作されることにより撮影スケジュール（例えば、撮影予定ポイント名情報、撮影予定日時情報、撮影予定位置情報、及び撮影予定枚数情報）などが入力される。
【００２２】
外部Ｉ／Ｆ部７は、インターネットなどのネットワークを介して外部のサーバと画像データや撮影スケジュールなどのデータの送受信を行う。
【００２３】
電源部８は、不図示の電池又は外部電源からの電力をＤＣ／ＤＣコンバータなどを介して撮像装置１内の各部に供給する。
【００２４】
撮影スケジュール記憶部９は、操作部６により入力される撮影スケジュール又は外部Ｉ／Ｆ部７を介して外部から入力される撮影スケジュールを記憶する。撮影スケジュール記憶部９に記憶されている撮影スケジュールは、制御部１２により必要に応じて参照される。
【００２５】
撮影状況取得部１０は、ＧＰＳ（Ｇｌｏｂａｌ  Ｐｏｓｉｔｉｏｎｉｎｇ  Ｓｙｓｔｅｍ）や無線ＬＡＮ（Ｌｏｃａｌ  Ａｒｅａ  Ｎｅｔｗｏｒｋ）などを使用して撮像装置１の現在の位置情報を取得したり、加速度センサなどを使用して撮像装置１が移動していることを示す動き情報を取得したり、コンパスなどを使用して撮像装置１の現在の方角情報を取得したり、時計などを使用して現在の日時情報を取得したり、撮影者の脈拍や血中酸素飽和度などを測定するセンサを使用して撮影者の身体情報を取得したり、その他の各種センサを使用して撮影者の心境情報や感情情報を取得する。
【００２６】
アラート部１１は、スピーカ、振動部、及び発光部（例えば、ＬＥＤ（Ｌｉｇｈｔ  Ｅｍｉｔｔｉｎｇ  Ｄｉｏｄｅ））などにより構成され、音、振動、及び光などにより撮影者に対して撮り忘れを知らせる。
【００２７】
制御部１２は、例えば、ＣＰＵやマイクロコンピュータなどにより構成され、記憶部４に記憶されているオペレーションシステムのプログラムや各種アプリケーションソフトを実行することにより撮像装置１全体の動作制御を行う。また、制御部１２は、記憶部４に記憶される各種アプリケーションソフトの１つである「撮り忘れ防止処理」の実行時、撮影スケジュール作成部１３、撮像判断部１４（撮像判断手段）、電源モード切替制御部１５（電源モード切替制御手段）、及びアラート判断部１６（アラート判断手段）などを構成する。
【００２８】
撮影スケジュール作成部１３は、撮影者が操作部６を操作することにより入力される情報に基づいて撮影スケジュールを作成し、撮影スケジュール記憶部９に記憶させる。
【００２９】
撮像判断部１４は、撮影スケジュール記憶部９に記憶される撮影スケジュールに従った撮影が行われているか否かを判断する。
【００３０】
電源モード切替制御部１５は、撮影者による操作部６の操作に基づいて、撮像装置１の電源モードを、撮像装置１の消費電力を抑えない通常モード及び撮像装置１の消費電力を抑えるスリープモード（省電力モード）のどちらか一方のモードに切り替える。なお、通常モードとは、撮像装置１内の各部全てに電力を供給するモードとする。また、スリープモードとは、撮像装置１が一時的に使用されていないときなどにおいて、少なくとも「撮り忘れ防止処理」が制御部１２で実行されるために必要な各部、例えば、表示部５、撮影状況取得部１０、アラート部１１、及び制御部５などへ電力が供給され、それ以外の各部、例えば、画像処理部３や表示部５などへの電力供給を停止させるモードとする。また、電源モード切替制御部１５は、操作部６が最後に操作されてから所定時間経過後に、通常モードからスリープモードに切り替えるように構成してもよい。
【００３１】
アラート判断部１６は、撮像判断部１４の判断結果や電源モード切替制御部１５のモード切替制御に基づいてアラート部１１の動作を制御することにより撮影者に撮り忘れがあることを知らせる。
【００３２】
図２は、撮像装置１の制御部１２において「撮り忘れ防止処理」が実行される際の制御部１２の動作を説明するためのフローチャートである。
【００３３】
まず、制御部１２の撮影スケジュール作成部１３は、例えば、撮像装置１の電源がオフからオンに切り替わると、又は、スリープモードから通常モードに切り替わると、撮影スケジュール記憶部９に撮影スケジュールが記憶されているか否かを判断する（Ｓ１１）。
【００３４】
撮影スケジュール記憶部９に撮影スケジュールが記憶されていないと判断すると（Ｓ１１がＮｏ）、撮影スケジュール作成部１３は、撮影スケジュールを作成するか否かを撮影者に問い合わせるためのＧＵＩを表示部５に表示させるとともに、操作部６から送られてくる指示が撮影スケジュールの作成指示であるか否かを判断する（Ｓ１２）。
【００３５】
操作部６から送られてきた指示が撮影スケジュールの作成指示でないと判断すると、すなわち、操作部６から送られてきた指示が撮影スケジュールを作成しない旨の指示であると判断すると（Ｓ１２がＮｏ）、制御部１２は、「撮り忘れ防止処理」を終了する。
【００３６】
一方、操作部６から送られてきた指示が撮影スケジュールの作成指示であると判断すると（Ｓ１２がＹｅｓ）、撮影スケジュール作成部１３は、撮影スケジュール作成用のＧＵＩを表示部５に表示させるとともに、そのＧＵＩに基づいて撮影者が操作部６を操作することにより入力される情報で撮影スケジュールを作成し、その作成した撮影スケジュールを撮影スケジュール記憶部９に記憶させる。
【００３７】
例えば、まず、撮影スケジュール作成部１３は、大まかな撮影予定位置としてキーワード、建物や施設の名称、又は住所などをテキスト入力させるためのＧＵＩを表示部５に表示させる。
【００３８】
次に、撮影スケジュール作成部１３は、入力された撮影予定位置を中心とする所定範囲の地図をインターネット上の地図データベースなどから取得し、その地図を表示部５に表示させる。
【００３９】
次に、撮影スケジュール作成部１３は、表示部５において地図と共に表示されるカーソルを撮影者が操作部６を操作して動かしたり、表示部５に表示される地図を撮影者がタッチしたりすることにより、撮影予定位置に設定したい箇所を１つ以上撮影者に選択させる。
【００４０】
次に、撮影スケジュール作成部１３は、選択された各撮影予定位置に対して、それぞれ、撮影予定のスポット名、日時、及び枚数をテキスト入力させるためのＧＵＩを表示部５に表示させ、入力される撮影予定スポット名情報、撮影予定日時、及び撮影予定枚数を互いに対応付けて撮影スケジュール記憶部９に記憶させる。
【００４１】
図３は、表示部５に表示される、撮影予定のスポット名、日時、及び枚数をテキスト入力させるためのＧＵＩの一例を示す図である。撮影者に選択された各撮影予定位置にそれぞれ「ふきだし」３０が表示され、それらの「ふきだし」３０内に参考撮影画像３１と共に、撮影予定スポット名情報を入力するための欄３２、撮影予定日時情報を入力するための欄３３、及び撮影予定枚数を入力するための欄３４が表示されている。例えば、撮影予定位置として撮影者により選択された地図上の清滝駅に対応する「ふきだし」３０の欄３２には「清滝駅」が入力され、欄３３には「２０１１／５／３  １０：００」が入力され、欄３４には「２」が入力されている。
【００４２】
次に、撮影スケジュール作成部１３は、選択された撮影予定位置に対応する緯度及び経度をインターネットなどから取得し、その取得した緯度及び経度を撮影予定位置情報として、撮影スケジュール記憶部９内の撮影予定スポット名情報、撮影予定日時、及び撮影予定枚数と対応付けることにより撮影スケジュールを作成する。なお、撮像装置１は、同様な方法によって外部のコンピュータなどで作成された撮影スケジュールをサーバ又は他の撮像装置１から外部Ｉ／Ｆ部７を介して取得してもよい。
【００４３】
図４は、撮影スケジュール記憶部９に記憶される撮影スケジュールの一例を示す図である。
【００４４】
図４に示す例では、撮影予定ポイント名情報、撮影予定日時情報、撮影予定位置情報、及び撮影予定枚数情報が互いに対応付けられた複数の撮影スケジュールが撮影予定日時情報の遅い順に上から並んでいる。例えば、図４に示す複数の撮影スケジュールのうち最初の撮影スケジュール（一番上の撮影スケジュール）では、撮影予定ポイント名情報として「清滝駅」、撮影予定日時情報として「２０１１／５／３  １０：００」、撮影予定位置情報として「北緯  ３５度３７分５１．９２秒  東経  １３９度１６分０．３９４秒」、撮影予定枚数情報として「２」が互いに対応付けられている。図４に示す各撮影スケジュールは、現在の日時に基づいて、制御部１２により取り出されるものとする。
【００４５】
また、図２に示すフローチャートにおいて、撮影スケジュール記憶部９に撮影スケジュールが記憶されていると判断すると（Ｓ１１がＹｅｓ）、制御部１２の撮像判断部１４は、撮影状況取得部１０により取得される情報に基づいて、現在の撮影スケジュールを撮影スケジュール記憶部９から取り出す（Ｓ１４）。例えば、撮像判断部１４は、撮影状況取得部１０により取得される現在の日時情報に近い又は一致する撮影予定日時情報に対応する撮影スケジュールを撮影スケジュール記憶部９から取り出す。また、例えば、撮像判断部１４は、撮影状況取得部１０により取得される現在の位置情報に近い又は一致する撮影予定位置情報に対応する撮影スケジュールを撮影スケジュール記憶部９から取り出す。なお、撮像判断部１４は、制御部１２に備える時計機能を使用することにより、現在の日時情報を取得してもよい。
【００４６】
次に、撮像判断部１４は、その取り出した撮影スケジュールに従った撮影が行われているか否かを判断する（Ｓ１５）。例えば、撮像判断部１４は、撮影スケジュールに示される撮影予定枚数情報と、そのときに実際に撮影された枚数とが一致していないとき、撮影スケジュールに従った撮影が行われていないと判断する。また、例えば、撮像判断部１４は、現在の日時情報と撮影スケジュールに示される撮影予定日時情報とが近い又は一致するときで、かつ、現在の位置情報と撮影スケジュールに示される撮影予定位置情報とが近くない又は一致しないとき、撮影スケジュールに従った撮影が行われていないと判断する。また、例えば、撮像判断部１４は、各撮影スケジュールに対する参考撮影画像をインターネットなどから取得しておき、撮影予定位置情報に対応する参考撮影画像と、そのときに実際に撮影された画像データとの比較結果で構図などが一致していないとき、撮影スケジュールに従った撮影が行われていない判断する。
【００４７】
撮影スケジュールに従った撮影が行われていると判断すると（Ｓ１５がＹｅｓ）、撮像判断部１４は、撮影スケジュール記憶部９に記憶される全ての撮影スケジュールに対して「撮り忘れ防止処理」が行われたか否かを判断する（Ｓ１６）。
【００４８】
全ての撮影スケジュールに対して「撮り忘れ防止処理」が行われていないと判断すると（Ｓ１６がＮｏ）、撮像判断部１４は、Ｓ１４に戻って、次の撮影スケジュールを取り出す。
【００４９】
一方、全ての撮影スケジュールに対して「撮り忘れ防止処理」が行われていると判断すると（Ｓ１６がＹｅｓ）、制御部１２は、「撮り忘れ防止処理」を終了する。
【００５０】
また、撮影スケジュールに従った撮影が行われていないと判断すると、すなわち、撮り忘れがあると判断すると（Ｓ１５がＮｏ）、制御部１２のアラート判断部１６は、撮像装置１の電源モードがスリープモードであるか否かを判断する（Ｓ１７）。
【００５１】
撮像装置１の電源モードがスリープモードであると判断すると（Ｓ１７がＹｅｓ）、アラート判断部１６は、撮り忘れがあることを撮影者に知らせるために、その旨のメッセージを表示部５に表示させる（又は、アラート部１１の発光部を点滅させる）とともに、アラート部１１のスピーカからブザー音や音声ガイドを出力させ、さらに、アラート部１１の振動部を振動させた後（Ｓ１８）、Ｓ１６に進む。撮像装置１の電源がスリープモードである場合、撮像装置１は撮影者の鞄の中や服のポケットなどに入っている可能性が高い。そのため、撮り忘れがあることを撮影者に知らせる場合、メッセージを表示部５に表示させたり、スピーカからブザー音を出力させても、そのメッセージやブザー音が撮影者に気付かれないおそれがある。そこで、本実施形態の撮像装置１のように、撮像装置１の電源モードがスリープモードである場合、メッセージを表示させたり、音を出力させたりする他に、振動部を振動させることにより、撮像装置１が鞄やポケットの中にあったとしても、より確実に撮り忘れがあることを撮影者に知らせることができる。なお、撮像装置１の電源モードがスリープモードであると判断した場合、アラート判断部１６は、振動部の振動のみを行ってもよいし、振動部の振動とともに、メッセージ表示又は音出力を行ってもよい。
【００５２】
また、撮像装置１の電源モードがスリープモードでないと判断すると、すなわち、撮像装置１の電源モードが通常モードであると判断すると（Ｓ１７がＮｏ）、アラート判断部１６は、撮り忘れがあることを撮影者に知らせるために、その旨のメッセージを表示部５に表示させた後（又は、アラート部１１の発光部を点滅させた後）（Ｓ１９）、Ｓ１６に進む。撮像装置１の電源がスリープモードでない場合、撮像装置１は撮影者の手の中や撮影者の周辺にある可能性が高い。そのため、撮り忘れがあることを撮影者に知らせる場合、音や振動を使用せずにメッセージ表示や光のみでも、撮影者に気付いてもらえる可能性が高い。そこで、本実施形態の撮像装置１のように、撮像装置１の電源がスリープモードでない場合、撮り忘れがあることを撮影者に知らせる際にスピーカからブザー音や音声ガイドを出力させない分、消費電力を抑えることができる。
【００５３】
なお、アラート判断部１６は、Ｓ１８において、さらに、撮影状況取得部１０により取得される動き情報により撮像装置１が移動していると判断し、かつ、現在の位置情報により撮影スケジュールに示される撮影予定場所から離れつつあると判断すると、アラート部１１から出力される音を徐々に大きくさせるように構成してもよい。
【００５４】
このように、本実施形態の撮像装置１では、撮り忘れがあると判断した場合、撮り忘れがあることを撮影者に知らせるために、そのときの撮影状況に応じたアラートが行われるため、より確実に撮り忘れを防止することができる。
【００５５】
図５は、本発明の実施形態の撮り忘れ防止システムを示す図である。なお、図１に示す構成と同じ構成には同じ符号を付し、その説明を省略する。
【００５６】
図５に示す撮り忘れ防止システム５０は、撮像装置１と、サーバ５１と、携帯端末５２とを備え、撮像装置１とサーバ５１との間でインターネットなどのネットワークを介して又はネットワークを介さずにデータの送受信が行われ、サーバ５１と携帯端末５２との間でインターネットなどのネットワークを介して又はネットワークを介さずにデータの送受信が行われる。
【００５７】
サーバ５１は、記憶部５３と、撮影スケジュール記憶部５４（記憶手段）と、通信部５５（第２の通信手段）と、制御部５６とを備える。
【００５８】
記憶部５３は、例えば、ＲＯＭやＲＡＭなどにより構成され、制御部５６で実行されるオペレーションシステムのプログラム及び各種アプリケーションソフトなどを記憶する。
【００５９】
撮影スケジュール記憶部５４は、撮像装置１から送信される撮影スケジュールを記憶する。
【００６０】
通信部５５は、撮像装置１から定期的に送信される電源がオンである旨の電源オン信号及び携帯端末５２から送信される携帯端末５２の現在の位置情報を受信したり、携帯端末５２にアラート信号を送信する。
【００６１】
制御部５６は、例えば、ＣＰＵやマイクロコンピュータなどにより構成され、記憶部５３に記憶されているオペレーションシステムのプログラムや各種アプリケーションソフトを実行することによりサーバ５１全体の動作制御を行う。また、制御部１２は、記憶部５３に記憶される各種アプリケーションソフトの１つである「撮り忘れ防止処理」の実行時、電源オン／オフ判断部５７と、撮像判断部５８（撮像判断手段）と、アラート判断部５９（アラート判断手段）などを構成する。
【００６２】
電源オン／オフ判断部５７は、撮像装置１から定期的に送信される電源オン信号を受信しなかった場合、撮像装置１の電源がオフであると判断する。
【００６３】
撮像判断部５８は、撮影スケジュール記憶部５４に記憶される撮影スケジュールに従った撮影が行われているか否かを判断する。
【００６４】
アラート判断部５９は、撮像判断部５８により撮影スケジュールに従った撮影が行われていないと判断された場合、通信部５５によりアラート信号を携帯端末５２に送信させる。
【００６５】
携帯端末５２は、例えば、携帯電話やスマートフォンなどであって、表示部６０と、通信部６１（第１の通信手段）と、撮影状況取得部６２（撮影状況取得手段）と、アラート部６３（アラート手段）と、制御部６４とを備える。
【００６６】
表示部６０は、例えば、液晶や有機ＥＬなどのタッチパネルディスプレイにより構成され、撮り忘れを撮影者に知らせるためのメッセージなどを表示する。
【００６７】
通信部６１は、撮影状況取得部６２で取得される現在の撮影状況を示す撮影状況情報をサーバ５１に送信したり、サーバ５１から送信されるアラート信号を受信する。
【００６８】
撮影状況取得部６２は、撮影状況情報として、ＧＰＳや無線ＬＡＮなどを使用して携帯端末５２の現在の位置情報を取得したり、加速度センサなどを使用して携帯端末５２が移動していることを示す動き情報を取得したり、コンパスなどを使用して携帯端末５２の現在の方角情報を取得したり、時計などを使用して現在の日時情報を取得したり、撮影者の脈拍や血中酸素飽和度などを測定するセンサを使用して撮影者の身体情報を取得したり、その他の各種センサを使用して撮影者の心境情報や感情情報を取得する。
【００６９】
アラート部６３は、スピーカ、振動部、及び発光部（例えば、ＬＥＤ）などにより構成され、サーバ５１から送信されるアラート信号が通信部６１により受信されると、音、振動、及び光などにより撮影者に対して撮影を促す。
【００７０】
制御部６４は、例えば、ＣＰＵなどにより構成され、携帯端末５２全体の動作制御を行う。
【００７１】
図６は、サーバ５１の制御部５６において「撮り忘れ防止処理」が実行される際の制御部５６の動作を説明するためのフローチャートである。
【００７２】
まず、制御部５６の電源オン／オフ判断部５７は、撮像装置１から定期的に送信されるべき電源オン信号を受信しているか否かを判断する（Ｓ２１）。
【００７３】
電源オン信号を受信していると判断すると（Ｓ２１がＹｅｓ）、電源オン／オフ判断部５７は、一定時間毎に、撮影スケジュールの更新内容や進行具合及び現在の位置情報などの各種データを撮像装置１から受信し、それらデータを撮影スケジュール記憶部５４に記憶した後（Ｓ２２）、Ｓ２１に戻る。
【００７４】
一方、電源オン信号を受信しなかったと判断すると（Ｓ２１がＮｏ）、電源オン／オフ判断部５７は、撮像装置１の電源がオフになっていると判断して、現在の日時情報に近い又は一致する撮影予定日時情報が示される撮影スケジュールを撮影スケジュール記憶部５４から取り出す（Ｓ２３）。なお、電源オン／オフ判断部５７は、制御部５６に備える時計機能を使用することにより現在の日時情報を取得してもよい。
【００７５】
次に、制御部５６の撮像判断部５８は、その取り出した撮影スケジュールに従った撮影が行われているか否かを判断する（Ｓ２４）。例えば、撮像判断部５８は、撮影スケジュールに示される撮影予定枚数情報と、そのときに実際に撮影された枚数とが一致していないとき、撮影スケジュールに従った撮影が行われていないと判断する。また、例えば、撮像判断部５８は、現在の日時情報と撮影スケジュールに示される撮影予定日時情報とが近い又は一致するときで、かつ、受信される現在の位置情報と撮影スケジュールに示される撮影予定位置情報とが近くない又は一致しないとき、撮影スケジュールに従った撮影が行われていないと判断する。また、例えば、撮像判断部５８は、各撮影スケジュールに対する参考撮影画像をインターネットなどから取得しておき、撮影予定位置情報に対応する参考撮影画像と、そのときに実際に撮影された画像データとの比較結果で構図などが一致していないとき、撮影スケジュールに従った撮影が行われていない判断する。
【００７６】
撮影スケジュールに従った撮影が行われていると判断すると（Ｓ２４がＹｅｓ）、撮像判断部５８は、撮影スケジュール記憶部５４に記憶される全ての撮影スケジュールに対して「撮り忘れ防止処理」が行われたか否かを判断する（Ｓ２６）。
【００７７】
全ての撮影スケジュールに対して「撮り忘れ防止処理」が行われていないと判断すると（Ｓ２６がＮｏ）、撮像判断部５８は、Ｓ２１に戻り、再び定期的に電源オン信号を受信しているか否かを判断する。
【００７８】
一方、全ての撮影スケジュールに対して「撮り忘れ防止処理」が行われていると判断すると（Ｓ２６がＹｅｓ）、制御部５６は、「撮り忘れ防止処理」を終了する。
【００７９】
また、撮影スケジュールに従った撮影が行われていないと判断すると、制御部５６のアラート判断部５９は、少なくとも撮像装置１の電源がオフのときに適したアラートを行わせる旨のアラート信号を携帯端末５２に送信する。撮像装置１の電源がオフである場合、撮影者が公共の場などにいて撮像装置１から音を出したくない状況にある可能性が高い。そこで、例えば、アラート判断部５９が携帯端末５２のアラート部６３の振動部を振動させる旨のアラート信号を携帯端末５２に送信することにより、撮影者が公共の場などにいても音を出すことなく撮影者に撮影を促すことができる。また、例えば、アラート判断部５９は、さらに、携帯端末５２の撮影状況取得部６２で取得された情報に基づいて、撮影者の撮影状況を判断し、その判断した撮影状況に応じたアラートを行わせる旨（例えば、撮像装置１の電源はオフであるが、撮像装置１が撮影者の手の中又は周辺にあると判断される場合に、表示部６０に撮影を促すためのメッセージを表示させる旨や撮像装置１の電源はオフであるが、撮影者が公共の場などにいないと判断される場合に、振動の他に音を出力することにより撮影者に撮影を促す旨）のアラート信号を携帯端末５２に送信するように構成してもよい。
【００８０】
このように、本実施形態の撮り忘れ防止システム５０では、撮像装置１の電源がオフであると判断すると、現在の日時情報に対応する撮影スケジュールに示される撮影予定位置情報と現在の位置情報とが近い又は一致するとき、サーバ５１から撮影者が所有する携帯端末５２へアラート信号が送信される構成であるため、撮像装置１の電源がオフになっており撮像装置１において「撮り忘れ防止処理」が行われない状況であっても、撮影スケジュールに従った撮影が行われていないときに撮影者に撮影を促すことができる。
【００８１】
なお、上記撮り忘れ防止システム５０では、撮像装置１の電源がオフで、かつ、撮影スケジュールに従った撮影が行われていないとき、サーバ５１から携帯端末５２へアラート信号が送信される構成であるが、例えば、図７に示すフローチャートのように、電源オン信号が受信しているか否かをサーバ５１の電源オン／オフ判断部５７が判断せず、撮影スケジュールに従った撮影が行われていないことをサーバ５１の撮像判断部５８が判断したとき、サーバ５１から携帯端末５２へアラート信号が送信されるように構成してもよい。このように構成することにより、撮像装置１からサーバ５１へ電源オン信号を送信するための構成やサーバ５１において電源オン信号を受信しているか否かを判断するための構成を省略することができるため、その分サーバ５１における「撮り忘れ防止処理」を簡略化することができる。
【符号の説明】
【００８２】
１  撮像装置
２  撮像部
３  画像処理部
４  記憶部
５  表示部
６  操作部
７  外部Ｉ／Ｆ部
８  電源部
９  撮影スケジュール記憶部
１０  撮影状況取得部
１１  アラート部
１２  制御部
１３  撮影スケジュール作成部
１４  撮像判断部
１５  電源モード切替制御部
１６  アラート判断部
【図１】
2012249146.tif 000003
【図２】
2012249146.tif 000004
【図３】
2012249146.tif 000005
【図４】
2012249146.tif 000006
【図５】
2012249146.tif 000007
【図６】
2012249146.tif 000008
【図７】
2012249146.tif 000009